(57)【要約】【課題】組み立て作業を行うに当たり、連結部材がユニット内部の電子部品、回路基板などに接当し難くなって、安心して作業を行うことができ、取付作業が容易であり、作業性を高めることができる接続部品の接続構造、接続部品およびこれを備えた信号表示灯を提供する。【解決手段】接続部品Ａに設けられている筒状挿通孔６に挿通可能かつこの筒状挿通孔６に挿通した後、筒状挿通孔６の上部に係止可能な拡径頭部２ａを有する長尺状の連結部材２と、接続部品Ａと接続される被接続部品Ｂに形成されている雌ネジ部３とが接続可能になっている。連結部材２に、この連結部材２を常時被接続部品Ｂとは離間する方向に付勢するコイルスプリング８が装着されていると共に、連結部材２が筒状挿通孔６に挿通された後、抜け止めを防止する係止リング９が装着されている。【選択図】図１
2006236737.tif 000002
【特許請求の範囲】
【請求項１】
接続部品に設けられている筒状挿通孔に挿通可能かつこの筒状挿通孔に挿通した後、前記筒状挿通孔の上部に係止可能な拡径頭部を有する長尺状の連結部材と、前記接続部品と接続される被接続部品に形成されている被接続部とが接続可能になっている接続部品の接続構造において、
前記連結部材に、この連結部材を常時被接続部品とは離間する方向に付勢する付勢部材が装着されていると共に、前記連結部材が前記筒状挿通孔に挿通された後、抜け止めを防止する係止部材が装着されていることを特徴とする接続部品の接続構造。
【請求項２】
前記付勢部材が、前記連結部材の拡径頭部から延設される軸に挿通可能な弾性体であり、この弾性体の上端が前記拡径頭部に接当すると共に、下端が前記筒状挿通孔内に形成された突起部に接当する請求項１記載の接続部品の接続構造。
【請求項３】
前記係止部材が、前記連結部材の拡径頭部から延設される軸に装着されていて、前記軸に弾性変形可能な舌片を係合させている請求項１又は２記載の接続部品の接続構造。
【請求項４】
前記連結部材と被接続部品との接続は、前記連結部材に装着された前記付勢部材の付勢力に抗して押下げると共に、前記連結部材に形成された雄ネジ部と被接続部品に形成された雌ネジ部とを螺着して行われる請求項１〜３のいずれか１項記載の接続部品の接続構造。
【請求項５】
請求項１〜４のいずれか１項記載の接続部品の接続構造を有する接続部品。
【請求項６】
ベースユニットと、このベースユニットに接続する中間ユニットと、この中間ユニットに接続する表示ユニットとを備えて構成されている信号表示灯において、被接続部品である前記ベースユニットと、接続部品である前記中間ユニットとの接続が、請求項１〜４のいずれか１項記載の接続部品の接続構造を用いてなされていることを特徴とする信号表示灯。
【発明の詳細な説明】
【技術分野】
【０００１】
本発明は接続部品の接続構造、接続部品およびこれを備えた信号表示灯に関し、詳しくは、接続部品に設けられている筒状挿通孔に挿通可能かつこの筒状挿通孔に挿通した後、前記筒状挿通孔の上部に係止可能な拡径頭部を有する長尺状の連結部材と、前記接続部品と接続される被接続部品に形成されている被接続部とが接続可能になっている接続部品の接続構造、接続部品およびこれを備えた信号表示灯に関する。
【背景技術】
【０００２】
現場生産ライン、自動機械、ロボット、駐車場、危険個所などでは、生じた状況の変化を始め各種情報を知らせるため、信号表示灯が設置される。この種信号表示灯として、設備などに設置され、設備などの機器からの信号線や電源線が接続される端子台や電子部品群などを内蔵した底面部に電源装置などを内蔵したベースユニットと、このベースユニット上に電圧変換部などを内蔵した中間ユニットとを接続し、更に、その上に単数あるいは複数種類の信号表示部を多層に積層して構成されたものが、多く採用されている（例えば、特許文献１）。
【０００３】
多層に積層された信号表示灯は、振動を生じる設備などに取り付けられる場合も少なくないため、各ユニット間の接続は上下のユニットＡ，Ｂどうしを互いに回転式に係止させるだけでなく、図４に示すように、連結部材として長尺ネジ３０を用いて螺着する方式が併用されている。
【０００４】
すなわち、下側に位置するベースユニットＢ内に設けられたシャフト内の雌ネジ部３と、ベースユニットＢの上側に積層される中間ユニットＡ内に設けられている連結部材３０の下端側の雄ネジ部とが、螺着されて互いに接続されるようになっている。
【特許文献１】特開２００４−１８６０９１号公報
【発明の開示】
【発明が解決しようとする課題】
【０００５】
しかしながら、上記従来技術の接続部品の接続構造では、上部の中間ユニットＡ内に取り付けられている連結部材３０については、上端側は固定されるものの、下端側の自由端が上下左右に可動自在になっており、そのため、自由端が中間ユニットＡ内に配置される回路基板上の各種電子部品などに接当して、損傷を与えるおそれがある。
【０００６】
また、組み立て作業を行う場合、連結部材３０が締め付け忘れ等により締め付けが不十分であっても容易に見つけることができなかった。
【０００７】
従って、組み立て作業を行う際には、細心の注意を払う必要があるなど、必ずしも作業性に優れているわけではなく、事実、中間ユニット側の連結部材が、ベースユニット側に実装された電子回路部品などと接触して損傷することも少なくなかった。
【０００８】
そこで、本発明は、上記従来技術の有する問題点に鑑みて、組み立て作業を行うに当たり、連結部材がユニット内部の電子部品、回路基板などに接当し難くなって、安心して作業を行うことができ、取付作業が容易であり、作業性を高めることができる接続部品の接続構造、接続部品およびこれを備えた信号表示灯を提供することにある。
【課題を解決するための手段】
【０００９】
上記課題は、各請求項記載の発明により達成される。すなわち、本発明に係る接続部品の接続構造の特徴構成は、接続部品に設けられている筒状挿通孔に挿通可能かつこの筒状挿通孔に挿通した後、前記筒状挿通孔の上部に係止可能な拡径頭部を有する長尺状の連結部材と、前記接続部品と接続される被接続部品に形成されている被接続部とが接続可能になっていて、前記連結部材に、この連結部材を常時被接続部品とは離間する方向に付勢する付勢部材が装着されていると共に、前記連結部材が前記筒状挿通孔に挿通された後、抜け止めを防止する係止部材が装着されていることにある。
【００１０】
この構成によれば、長尺状の連結部材が筒状挿通孔に挿通されるため、連結部材が左右に移動することがないのみならず、付勢部材によって、常時、被接続部品とは離間する方向に付勢されているため、組み立て作業中に連結部材の自由先端が、被接続部品に実装されている電子回路部品、回路基板などに不用意に接触したり接当したりするこが防止され、しかも、一旦筒状挿通孔に挿通された連結部材は、係止部材によって抜け止めを防止されているので、容易に外れず、組み立て作業中の取り扱いが容易であり、確実に適正な組み立て作業ができ、顕著に組み立て作業の効率が向上する。また、被接続部品に対して十分連結部材を接続していない場合には、付勢部材による付勢作用により、連結部材の上端が必要以上に接続部品の上部から突出することになるので、接続不良を容易に確認でき、確実に対処することが可能になる。
【００１１】
その結果、組み立て作業を行うに当たり、連結部材がユニット内部の電子部品、回路基板などに接当し難くなって、安心して作業を行うことができ、取付作業が容易であり、作業性を高めることができる接続部品の接続構造を提供することができた。
【００１２】
前記付勢部材が、前記連結部材の拡径頭部から延設される軸に挿通可能な弾性体であり、この弾性体の上端が前記拡径頭部に接当すると共に、下端が前記筒状挿通孔内に形成された突起部に接当することが好ましい。
【００１３】
この構成によれば、付勢部材である弾性体が連結部材の拡径頭部と筒状挿通孔内の突起部との間に挿入され、連結部材を確実に被接続部品とは離間する方向に付勢させることができる。
【００１４】
前記係止部材が、前記連結部材の拡径頭部から延設される軸に装着されていて、前記軸に弾性変形可能な舌片を係合させていることが好ましい。
【００１５】
この構成によれば、筒状挿通孔に挿通された連結部材は、その軸に装着された係止部材により、付勢部材の付勢力に抗して筒状挿通孔から連結部材が抜け出るのを防止でき、しかも係止部材の舌片が連結部材の軸と係合してその接触抵抗を大きくし、連結部材の上方への抜け出め防止を強化すると共に、舌片との係合部を移動させることにより、容易に係止部材の位置を調整することができる。
【００１６】
前記連結部材と被接続部品との接続は、前記連結部材に装着された前記付勢部材の付勢力に抗して押下げると共に、前記連結部材に形成された雄ネジ部と被接続部品に形成された雌ネジ部とを螺着して行われることが好ましい。
【００１７】
この構成によれば、連結部材と被接続部品との接続を一層確実にでき、結局、接続部品と被接続部品とを強固に接続できる。
【００１８】
又、本発明に係る接続部品の特徴構成は、前述した接続部品の接続構造を有することにある。
【００１９】
この構成によれば、組み立て作業を行うに当たり、連結部材がユニット内部の電子部品、回路基板などに接当し難くなって、安心して作業を行うことができ、取付作業が容易であり、作業性を高めることができる接続部品を提供することができる。
【００２０】
又、本発明に係る信号表示灯の特徴構成は、ベースユニットと、このベースユニットに接続する中間ユニットと、この中間ユニットに接続する表示ユニットとを備えて構成されていて、被接続部品である前記ベースユニットと、接続部品である前記中間ユニットとの接続が、前述の接続部品の接続構造を用いてなされていることにある。
【００２１】
この構成によれば、組み立て作業を行うに当たり、連結部材がユニット内部の電子部品、回路基板などに接当し難くなって、安心して作業を行うことができ、取付作業が容易であり、作業性を高めることができる信号表示灯を提供できる。
【発明を実施するための最良の形態】
【００２２】
本発明の実施形態を、図面を参照して詳細に説明する。図１は、本実施形態に係る接続部品の接続構造を備えた信号表示灯を説明する部分断面分解正面図である。
【００２３】
この信号表示灯は、下部からベースユニットＢ、中間ユニットＡ、表示ユニットＤ、カバーＣなどとから構成されて、これら接続部品が縦方向に同心状に積層され接続されると共に、壁面、床面あるいは設備上に、直接あるいは支持台（図示略）などを介して取付可能になっている。図１は、煩雑化を避けるため、ベースユニットＢ、中間ユニットＡ内に回路基板などを装填する前の状態を示し、図２は、中間ユニットＡの上部平面構造を示す。
【００２４】
ベースユニットＢは、外郭ケース１の内部に設備の機器からの信号線や電源線が接続される端子台や電子部品群などの内部部材を収容可能になっている。その側壁の内周面には、後述する連結部材２の下部自由端を挿入・螺着する筒状をした雌ネジ部３が設けられて、被接続部品における被接続部を構成する。
【００２５】
ベースユニットＢの底部には、ベースユニットＢの内部に不用意に水が侵入するのを防止するための防水パッキン４が装着されていると共に、信号表示灯が取り付けられる被取付設備などに取付・接続するための取付脚５が設けられている。
【００２６】
中間ユニットＡは、外郭ケース１１の内部に変圧装置、表示ユニットＤに内蔵されているＬＥＤなどを点滅させる点滅基板などが内蔵可能になっており、ベースユニットＢに接続される。中間ユニットＡの下端部とベースユニットＢの上端部とは、図示はしないが、回転係止方式により仮止め可能になっている。外郭ケース１１の内周側側壁には、上端部から下方に向けて側壁の中間部にまで、連結部材２が挿通される筒状挿通孔６が一体形成されており、この挿通孔６に挿通された連結部材２の下部に形成されている雄ネジ部が、ベースユニットＢの雌ネジ部３に挿通・螺着され、中間ユニットＡとベースユニットＢとが強固に固定可能になっている。従って、信号表示灯が振動する設備などに取り付けられる場合であっても、接続構造が容易に緩むことがなく、トラブルの発生を防止できる。
【００２７】
筒状挿通孔６は、その長さ方向途中から一部の外周部が切欠かれて除かれていると共に、他の外周部は中間ユニットＡの長さ方向の下端から略１／３程度にまで延設されていて、中間ユニットＡ内に配置される部品の占有空間をできるだけ広くするようになっており、同時に筒状挿通孔６に挿通される連結部材２の案内部として機能を発揮する。もっとも、中間ユニットＡの内部に配置される部品の形状によっては、筒状挿通孔６に切欠きを設けることなく、長さ方向にわたり筒状のままとしてもよい。
【００２８】
連結部材２について、詳しく説明する。この連結部材２は、図１に示すように、長尺状になっており、拡径頭部であるネジ頭部２ａより締めつけることで被接続部に接続可能になっていて、ネジ頭部２ａから下方側に延設されている軸２ｂにはワッシャー７が挿通されている。更に、ワッシャー７の下方の軸２ｂには、付勢部材であるコイルスプリング８が挿通されている。コイルスプリング８の下端は、挿通孔６内部に形成されている突起部６ａに係止される。従って、コイルスプリング８は、連結部材２の頭部２ａと挿通孔６の突起部６ａとの間で軸２ｂに挿通されていて、連結部材２の頭部２ａと挿通孔６の突起部６ａとに対して突っ張り付勢作用を与えており、連結部材２の頭部２ａが押し込まれると、この頭部２ａの下部に挿通されているワッシャー７が、コイルスプリング８の付勢力を受けつつ下降して、挿通孔６内を中間ユニットＡの外郭ケース１１の上部内周側に内周に向けて、挿通孔６の上端部６ｂに接当して停止するようになっている。
【００２９】
連結部材２の長さ方向略中間部から下部にかけての軸部分は、ネジ切りされて雄ネジ部を形成していると共に、下端部より幾分上方に、係止部材である約０．５ｍｍ程度の厚みを有する樹脂製係止リング９が軸２ｂに挿通されている。
【００３０】
なお、連結部材２の長さは、ネジ頭部２ａより締め付け前、つまり被接続部であるベースユニットＢへの締め付け前には、そのネジ頭部２ａが中間ユニットＡより高い位置にあって、かつその際には連結部材２の下端は中間ユニットＡの最下部より高い位置にあればよい。他方、ネジ頭部２ａを締め付け後は、ネジ頭部２ａは中間ユニットＡの最上部より下部に位置する方がよい。
【００３１】
連結部材２の雄ネジ部は、上記したように、ベースユニットＢの雌ネジ部３に挿通・螺着される。もっとも、連結部材２の雄ネジ部は、図１に示すように、長く形成する必要は必ずしもなく、ベースユニットＢの雌ネジ部３に確実に螺着できる長さに形成されていればよい。
【００３２】
係止リング９は、図３にその平面構造を示すように、中心部に形成され軸２ｂに挿通可能な中心孔９ａの周囲３箇所が拡径されていて、これら拡径部の間が３個の舌片９ｂを形成しており、各舌片９ｂが軸２ｂの上下方向に対して弾性変形しながら移動可能に構成されていると共に、移動を停止すると舌片９ｂがネジ溝に嵌まり込み、容易に固定され移動を停止するようになっている。連結部材２を締めつけて中間ユニットＡとベースユニットＢとを固定する前は、コイルスプリング８の付勢力により、連結部材２は上方に位置し、連結部材２の軸２ｂの下端部がベースユニットＢの回路基板（図示略）に装着される各種電子部品に接触あるいは接当して損傷を与えることがないようにされているが、その場合、組立作業に際して不用意に連結部材２が挿通孔６から抜け出すこともあり得る。しかし、係止リング９が軸２ｂに挿通され所定箇所に固定されていることから、連結部材２が挿通孔６から抜け出そうとしても、係止リング９が挿通孔６の下端部６ｃに接当して抜け出さないように作用する。そのため、組み立てに伴い少なくない数の細かい部品を扱う組立作業がし易くなり、作業効率が確実に向上する。
【００３３】
しかも、係止部材９の舌片９ｂが３方から軸２ｂのネジ溝に嵌まり込んで係合しているので、連結部材２を抜き出す不用意な衝撃力が作用したとしても、連結部材２との接触抵抗が大きく、連結部材２は容易に移動し難くなり、連結部材２が挿通孔６から抜け出すことがない。それでいて、継続的な上方あるいは下方への作用力を働かせることにより、係止リング９の舌片９ｂが弾性変形しつつ、係止リング９を上方あるいは下方に容易に移動できる。もっとも、係止部材９の位置が決まれば接着剤などを用いて所定位置に固着してもよい。
【００３４】
中間ユニットＡとベースユニットＢとを締めつけ固定する作業を行う場合、連結部材２を確実に締めつけていない場合（締めつけ忘れ等）には、コイルスプリング８の付勢力により、連結部材２が上方に押し上げられるので、連結部材２の下端部がベースユニットＢに内蔵されている電子部品との接当を回避しつつ、締めつけ不十分であることを作業者に知られる機能を発揮する。
【００３５】
図１、２において、図番１０、１２は、トランスレス変圧器であるスイッチング回路部品などを実装した基板や、表示ユニットＤでの光源を点滅させる回路を実装した基板や警報ブザーを発したりする各種信号回路部品を実装した基板を、摺動させつつ差し込み装着する溝を示す。
【００３６】
表示ユニットＤは、単数あるいは複数のＬＥＤなどの発光源や発光した光源の輝度を高めるための反射板、中間ユニットＢから変圧された電力や各種信号を受け取る接続部品などを内蔵しており、赤、黄、青、緑、白などの着色光を外郭ケース２１より外部に向けて発するようになっている。外郭ケース２１は、透光可能なグローブから構成されており、外周面の略全面から着色光を放射する。グローブには、透過光を拡散させるレンズ部を設けていてもよい。表示ユニットＤの下端部は、中間ユニットＡとバヨネット式あるいはネジ込み式などの回転係止方式により固着される。表示ユニットＤの上部は、カバーＣが回転係止されて固着されるようになっている。
【００３７】
〔別実施の形態〕
（１）上記実施形態では、圧縮の付勢部材としてコイルスプリングを連結部材２のネジ頭部２ａの下部の軸２ｂに挿通した例を示したが、軸下部の係止部材９と筒状挿通孔６の下端部との間の軸２ｂに引っ張りバネを装着し、連結部材の軸２ａを常時上方に付勢するようにしてもよい。
（２）上記実施形態では、付勢部材として弾性体であるコイルスプリングを用いた例を挙げて説明したが、付勢部材としてはこれに限定されるものではなく、ゴムあるいは発泡樹脂のような弾性体を用いてもよい。
（３）上記実施形態では、係止部材９として樹脂製係止リングを用いた例を示したが、この形状に限定されるものではなく、樹脂製あるいは金属製の六角ナットのようなものでもよいし、連結部材２の軸２ｂに形成されたネジ溝にはめ込み可能なＥリングのようなものであってもよい。
（４）上記実施形態では、連結部材が挿通される筒状挿通孔が中間ユニットの外郭ケースの内周側側壁に１箇所形成されている例を示したが、２箇所あるいはそれ以上形成してもよく、位置、サイズなどは適宜変更できる。
【産業上の利用可能性】
【００３８】
本発明に係る接続部品の接続構造は、上記した信号表示灯に使用できるのみならず、各種接続用ケーブルなどのコンセント部のような接続箇所にも広く利用することができる。
【図面の簡単な説明】
【００３９】
【図１】本発明の一実施形態に係る接続部品の接続構造を備えた信号表示灯を説明する部分断面分解正面図
【図２】中間ユニットＡの上部平面図
【図３】係止部材の平面図
【図４】従来技術の接続部品の接続構造を備えた信号表示灯を説明する図１と同様な図
【符号の説明】
【００４０】
２        連結部材
２ａ      拡径頭部
２ｂ      軸
３        被接続部
６        挿通孔
８        付勢部材
９        係止部材
９ｂ      舌片
Ａ        接続部品
Ｂ        被接続部品
【図１】
2006236737.tif 000003
【図２】
2006236737.tif 000004
【図３】
2006236737.tif 000005
【図４】
2006236737.tif 000006